(57)【特許請求の範囲】
【請求項１】
複数の乗場のそれぞれに設けられた複数の旧乗場釦および前記旧乗場釦が操作されることによりかごを昇降させる旧エレベータ制御盤を各前記旧乗場釦に対応する複数の新乗場釦および前記新乗場釦が操作されることにより前記かごを昇降させる新エレベータ制御盤に取り替える際に用いられるエレベータ乗場釦取替用装置であって、
各前記新乗場釦を操作する操作部を備え、
前記操作部は、前記旧乗場釦が操作されることにより、操作された前記旧乗場釦に対応する前記新乗場釦を操作し、
前記乗場に設けられた前記旧乗場釦に接続され、前記旧乗場釦が操作された場合に、前記操作部が前記新乗場釦を操作することによって、操作された前記旧乗場釦に対応する前記新乗場釦が操作されたことを示す乗場呼び信号を前記新乗場釦から前記新エレベータ制御盤に入力させることを特徴とするエレベータ乗場釦取替用装置。
【請求項２】
前記旧乗場釦は、照明部を有しており、
操作された前記旧乗場釦を点灯させる点灯制御部をさらに備えていることを特徴とする請求項１に記載のエレベータ乗場釦取替用装置。
【請求項３】
前記新乗場釦は、照明部を有し、
前記新エレベータ制御盤は、前記新乗場釦が操作されることにより、操作された前記新乗場釦を点灯させるようになっており、
前記操作部が操作した前記新乗場釦の点灯を検出する光検出部をさらに備え、
前記点灯制御部は、前記光検出部の検出結果に基づいて、前記旧乗場釦を点灯させることを特徴とする請求項２に記載のエレベータ乗場釦取替用装置。
【請求項４】
複数の乗場のそれぞれに設けられた複数の旧乗場釦および前記旧乗場釦が操作されることによりかごを昇降させる旧エレベータ制御盤を各前記旧乗場釦に対応する複数の新乗場釦および前記新乗場釦が操作されることにより前記かごを昇降させる新エレベータ制御盤に取り替えるエレベータ乗場釦取替方法であって、  前記旧エレベータ制御盤を前記新エレベータ制御盤に取り替えるエレベータ制御盤取替工程と、 各前記新乗場釦を操作する操作部を有し、前記操作部は、前記旧乗場釦が操作されることにより、操作された前記旧乗場釦に対応する前記新乗場釦を操作して、前記新乗場釦が操作されたことを示す乗場呼び信号を前記新乗場釦から前記新エレベータ制御盤に入力させるエレベータ乗場釦取替用装置に対して前記乗場に設けられた前記旧乗場釦を接続し、前記旧乗場釦が操作された場合に、操作された前記旧乗場釦に対応する前記新乗場釦が操作されたことを示す前記乗場呼び信号を前記エレベータ乗場釦取替用装置により前記新エレベータ制御盤に入力させる旧乗場釦仮接続工程と、  前記エレベータ制御盤取替工程および前記旧乗場釦仮接続工程の後、前記乗場に設けられた前記旧乗場釦を前記旧乗場釦に対応する前記新乗場釦に取り替えて前記乗場に設置する乗場釦取替工程と  を備えたことを特徴とするエレベータ乗場釦取替方法。
【発明の詳細な説明】
【技術分野】
【０００１】
この発明は、乗場釦をリニューアルする際に用いられるエレベータ乗場釦取替用装置および乗場釦をリニューアルするエレベータ乗場釦取替方法に関する。
【背景技術】
【０００２】
従来、複数の乗場のそれぞれに設けられた複数の乗場釦と、乗場釦が操作されることにより、操作された乗場釦に対応して、かごを昇降させるエレベータ制御盤とを備えたエレベータ装置が知られている（例えば、特許文献１参照）。
【先行技術文献】
【特許文献】
【０００３】
【特許文献１】特開２００１−１９２９９号公報
【発明の概要】
【発明が解決しようとする課題】
【０００４】
エレベータ制御盤をリニューアルする場合には、乗場釦もリニューアルする必要がある。しかしながら、全ての旧乗場釦を新乗場釦に取り替えた後でなければ、エレベータ装置の動作を開始することができない。これにより、乗場釦の数が多い場合には、取替作業の開始から完了までの時間が長くなり、エレベータ装置が休止する時間が長くなってしまうという問題点があった。
【０００５】
この発明は、乗場釦をリニューアルする場合にエレベータ装置が休止する時間を短くすることができるエレベータ乗場釦取替用装置およびエレベータ乗場釦取替方法を提供するものである。
【課題を解決するための手段】
【０００６】
この発明に係るエレベータ乗場釦取替用装置は、複数の乗場のそれぞれに設けられた複数の旧乗場釦および前記旧乗場釦が操作されることによりかごを昇降させる旧エレベータ制御盤を各前記旧乗場釦に対応する複数の新乗場釦および前記新乗場釦が操作されることにより前記かごを昇降させる新エレベータ制御盤に取り替える際に用いられるエレベータ乗場釦取替用装置であって、各前記新乗場釦を操作する操作部を備え、前記操作部は、前記旧乗場釦が操作されることにより、操作された前記旧乗場釦に対応する前記新乗場釦を操作し、前記乗場に設けられた前記旧乗場釦に接続され、前記旧乗場釦が操作された場合に、前記操作部が前記新乗場釦を操作することによって、操作された前記旧乗場釦に対応する前記新乗場釦が操作されたことを示す乗場呼び信号を前記新乗場釦から前記新エレベータ制御盤に入力させる。
【０００７】  この発明に係るエレベータ乗場釦取替方法は、複数の乗場のそれぞれに設けられた複数の旧乗場釦および前記旧乗場釦が操作されることによりかごを昇降させる旧エレベータ制御盤を各前記旧乗場釦に対応する複数の新乗場釦および前記新乗場釦が操作されることにより前記かごを昇降させる新エレベータ制御盤に取り替えるエレベータ乗場釦取替方法であって、前記旧エレベータ制御盤を前記新エレベータ制御盤に取り替えるエレベータ制御盤取替工程と、各前記新乗場釦を操作する操作部を有し、前記操作部は、前記旧乗場釦が操作されることにより、操作された前記旧乗場釦に対応する前記新乗場釦を操作して、前記新乗場釦が操作されたことを示す乗場呼び信号を前記新乗場釦から前記新エレベータ制御盤に入力させるエレベータ乗場釦取替用装置に対して前記乗場に設けられた前記旧乗場釦を接続し、前記旧乗場釦が操作された場合に、操作された前記旧乗場釦に対応する前記新乗場釦が操作されたことを示す前記乗場呼び信号を前記エレベータ乗場釦取替用装置により前記新エレベータ制御盤に入力させる旧乗場釦仮接続工程と、前記エレベータ制御盤取替工程および前記旧乗場釦仮接続工程の後、前記乗場に設けられた前記旧乗場釦を前記旧乗場釦に対応する前記新乗場釦に取り替えて前記乗場に設置する乗場釦取替工程とを備えている。
【発明の効果】
【０００８】
この発明に係るエレベータ乗場釦取替用装置によれば、乗場に設けられた旧乗場釦に接続され、旧乗場釦が操作された場合に、操作された旧乗場釦に対応する新乗場釦が操作されたことを示す乗場呼び信号を新エレベータ制御盤に入力させるので、乗場に設けられた旧乗場釦が操作されると、操作された旧乗場釦に対応する新乗場釦が操作された場合と同様に新エレベータ制御盤がかごを昇降させる。これにより、旧乗場釦が新乗場釦にまだ取り替えられずに乗場に設置されている場合であっても、エレベータ装置を動作させることができる。その結果、乗場釦をリニューアルする場合にエレベータ装置が休止する時間を短くすることができる。
【０００９】
この発明に係るエレベータ乗場釦取替方法によれば、旧エレベータ制御盤を新エレベータ制御盤に取り替えるエレベータ制御盤取替工程と、新乗場釦が操作されたことを示す乗場呼び信号を新エレベータ制御盤に入力させるエレベータ乗場釦取替用装置に対して乗場に設けられた旧乗場釦を接続し、旧乗場釦が操作された場合に、操作された旧乗場釦に対応する新乗場釦が操作されたことを示す乗場呼び信号をエレベータ乗場釦取替用装置により新エレベータ制御盤に入力させる旧乗場釦仮接続工程と、エレベータ制御盤取替工程および旧乗場釦仮接続工程の後、乗場に設けられた旧乗場釦をこの旧乗場釦に対応する新乗場釦に取り替えて乗場に設置する乗場釦取替工程とを備えているので、乗場に設けられた旧乗場釦が操作されると、操作された旧乗場釦に対応する新乗場釦が操作された場合と同様に新エレベータ制御盤がかごを昇降させる。これにより、旧乗場釦が新乗場釦にまだ取り替えられずに乗場に設置されている場合であっても、エレベータ装置を動作させることができる。その結果、乗場釦をリニューアルする場合にエレベータ装置が休止する時間を短くすることができる。
【図面の簡単な説明】
【００１０】
【図１】この発明の実施の形態１に係るエレベータ乗場釦取替用装置が設置されるエレベータ装置を示す構成図である。
【図２】図１のエレベータ乗場釦取替用装置を用いて乗場釦およびエレベータ制御盤をリニューアルする際のエレベータ装置を示す構成図である。
【図３】図２の旧乗場釦および新乗場釦を示す正面図である。
【図４】図２の新乗場釦およびエレベータ乗場釦取替用装置を示す平面図である。
【図５】図２の旧乗場釦に接続されたエレベータ乗場釦取替用装置を示すブロック図である。
【図６】図２の旧乗場釦の１つを新乗場釦に取り替えて乗場に設置したエレベータ装置を示す構成図である。
【図７】図６の旧乗場釦の１つを新乗場釦に取り替えて乗場に設置したエレベータ装置を示す構成図である。
【図８】図７の旧乗場釦の残りの１つを新乗場釦に取り替えて乗場に設置したエレベータ装置を示す構成図である。
【発明を実施するための形態】
【００１１】
実施の形態１．
図１はこの発明の実施の形態１に係るエレベータ乗場釦取替用装置６が設置されるエレベータ装置を示す構成図である。図において、エレベータ装置は、複数の乗場１のそれぞれに設けられた複数の乗場釦２と、乗場釦２が操作されることにより、操作された乗場釦２に対応してかご（図示せず）を昇降させるエレベータ制御盤３と、乗場釦２とエレベータ制御盤３とを接続するケーブル４とを備えている。エレベータ制御盤３は、機械室５に設置されている。この発明の実施の形態１に係るエレベータ乗場釦取替用装置６は、機械室５に設置される。
【００１２】
図２は図１のエレベータ乗場釦取替用装置６を用いて乗場釦２およびエレベータ制御盤３をリニューアルする際のエレベータ装置を示す構成図である。この例では、既設の乗場釦２（図１）を旧乗場釦２１とし、新設の乗場釦２を新乗場釦２２としている。また、この例では、既設のエレベータ制御盤３（図１）を旧エレベータ制御盤３１とし、新設のエレベータ制御盤３を新エレベータ制御盤３２としている。また、この例では、既設のケーブル４（図１）を旧ケーブル４１とし、新設のケーブル４を新ケーブル４２としている。旧ケーブル４１は、リニューアルの際に、旧エレベータ制御盤３１から切り離されて、エレベータ乗場釦取替用装置６に接続される。これにより、旧乗場釦２１とエレベータ乗場釦取替用装置６とが接続される。
【００１３】
全ての新乗場釦２２は、リニューアルが開始される前に、機械室５に仮置きされる。新エレベータ制御盤３２は、リニューアルの際に、機械室５に設置される。新ケーブル４２は、リニューアルの際に、新乗場釦２２と新エレベータ制御盤３２とを接続する。
【００１４】
図３は図２の旧乗場釦２１および新乗場釦２２を示す正面図である。旧乗場釦２１は、操作される乗場釦本体２１１と、操作された乗場釦本体２１１に光を照らす照明部２１２とを有している。乗場釦本体２１１は、操作された場合に、乗場呼び信号を出力する。照明部２１２は、乗場釦本体２１１の裏面側に配置されている。照明部２１２は、乗場釦本体２１１が操作された場合に、旧エレベータ制御盤３１の制御により点灯するようになっている。
【００１５】
新乗場釦２２は、操作される乗場釦本体２２１と、操作された乗場釦本体２２１に光を照らす照明部２２２とを有している。乗場釦本体２２１は、操作された場合に、乗場呼び信号を出力する。照明部２２２は、乗場釦本体２２１の裏面側に配置されている。照明部２２２は、乗場釦本体２２１が操作された場合に、新エレベータ制御盤３２の制御により点灯するようになっている。
【００１６】
図４は図２の新乗場釦２２およびエレベータ乗場釦取替用装置６を示す平面図、図５は図２の旧乗場釦２１に接続されたエレベータ乗場釦取替用装置６を示すブロック図である。図において、エレベータ乗場釦取替用装置６は、各新乗場釦２２を操作する操作部６１と、操作部６１の動作を制御する操作制御部６２と、新乗場釦２２の点灯を検出する光検出部６３と、光検出部６３の検出結果に基づいて、旧エレベータ制御盤３１と同様に旧乗場釦２１を点灯させる点灯制御部６４とを備えている。
【００１７】
操作部６１は、新乗場釦２２に対向して配置されている。操作部６１は、新乗場釦２２を押し下げることができるようになっている。新乗場釦２２は、操作部６１が新乗場釦２２を押し下げることにより、操作される。
【００１８】
操作制御部６２は、旧乗場釦２１が操作されることにより、操作された旧乗場釦２１から乗場呼び信号が入力される。操作制御部６２は、乗場呼び信号が入力された場合に、操作された旧乗場釦２１に対応する新乗場釦２２が操作されるように操作部６１を制御する。
【００１９】
光検出部６３は、操作部６１の内部に配置されている。光検出部６３は、新乗場釦２２が点灯することを検出する。点灯制御部６４は、旧乗場釦２１の点灯を制御するようになっている。点灯制御部６４は、光検出部６３の検出結果に基づいて、旧乗場釦２１の点灯を制御する。具体的には、点灯制御部６４は、光検出部６３が新乗場釦２２の点灯を検出した場合には、旧乗場釦２１を点灯させ、光検出部６３が新乗場釦２２の点灯を検出していない場合いは、旧乗場釦２１を消灯させる。
【００２０】
次に、エレベータ装置の取替方法について説明する。図６は図２の旧乗場釦２１の１つを新乗場釦２２に取り替えて乗場１に設置したエレベータ装置を示す構成図、図７は図６の旧乗場釦２１の１つを新乗場釦２２に取り替えて乗場１に設置したエレベータ装置を示す構成図、図８は図７の旧乗場釦２１の残りの１つを新乗場釦２２に取り替えて乗場１に設置したエレベータ装置を示す構成図である。まず、新エレベータ制御盤３２、新乗場釦２２およびエレベータ乗場釦取替用装置６を機械室５に持ち込む。その後、旧エレベータ制御盤３１を新エレベータ制御盤３２に取り替える（エレベータ制御盤取替工程）。このとき、新ケーブル４２を介して新乗場釦２２を新エレベータ制御盤３２に接続する。また、エレベータ乗場釦取替用装置６の操作部６１が新乗場釦２２を操作できるように、新乗場釦２２およびエレベータ乗場釦取替用装置６を設置する。
【００２１】
その後、旧ケーブル４１を旧エレベータ制御盤３１からエレベータ乗場釦取替用装置６に切り換えて接続する（旧乗場釦仮接続工程）。これにより、旧乗場釦２１がエレベータ乗場釦取替用装置６に接続される。その結果、旧乗場釦２１が操作される場合に、操作された旧乗場釦２１に対応する新乗場釦２２をエレベータ乗場釦取替用装置６が操作する。
【００２２】
その後、旧乗場釦２１をこの旧乗場釦２１に対応する新乗場釦２２に１つずつ取り替えて乗場１に設置する（乗場釦取替工程）。このとき、他の旧乗場釦２１が新乗場釦２２にまだ取り替えられずに乗場１に設置されている場合であっても、利用者が旧乗場釦２１を操作して、新エレベータ制御盤３２に乗場呼び信号を入力させて、乗場呼び登録を行わせることができる。したがって、この状態で、エレベータ装置を動作させることができる。全ての旧乗場釦２１を新乗場釦２２に取り替えられて乗場１に設置し、旧乗場釦２１および旧エレベータ制御盤３１を撤去することにより、エレベータ取替作業が終了する。
【００２３】
以上説明したように、この発明の実施の形態１に係るエレベータ乗場釦取替用装置６によれば、乗場１に設けられた旧乗場釦２１に接続され、旧乗場釦２１が操作された場合に、操作された旧乗場釦２１に対応する新乗場釦２２が操作されたことを示す乗場呼び信号を新エレベータ制御盤３２に入力させるので、乗場１に設けられた旧乗場釦２１が操作されると、操作された旧乗場釦２１に対応する新乗場釦２２が操作された場合と同様に新エレベータ制御盤３２がかごを昇降させる。これにより、旧乗場釦２１が新乗場釦２２にまだ取り替えられずに乗場１に設置されている場合であっても、エレベータ装置を動作させることができる。その結果、乗場釦２をリニューアルする場合にエレベータ装置が休止する時間を短くすることができる。
【００２４】
また、新乗場釦２２は、操作されることにより新エレベータ制御盤３２に乗場呼び信号を入力するようになっており、エレベータ乗場釦取替用装置６は、各新乗場釦２２を操作する操作部６１を備え、操作部６１は、旧乗場釦２１が操作されることにより、操作された旧乗場釦２１に対応する新乗場釦２２を操作するので、新エレベータ制御盤３２に対して、エレベータ乗場釦取替用装置６から乗場呼び信号を入力するための端子を設けることなく、操作された旧乗場釦２１に対応する新乗場釦２２が操作されたことを示す乗場呼び信号を新エレベータ制御盤３２に入力させることができる。これにより、新エレベータ制御盤３２の構成を簡単にすることができる。また、操作部６１が新乗場釦２２を操作することにより、新乗場釦２２が新エレベータ制御盤３２に乗場呼び信号を入力するので、作業者は、旧乗場釦２１を操作することにより、新乗場釦２２を操作することなく、新乗場釦２２の動作を確認することができる。
【００２５】
また、旧乗場釦２１は、照明部２１２を有しており、エレベータ乗場釦取替用装置６は、操作された旧乗場釦２１を点灯させる点灯制御部６４をさらに備えているので、旧乗場釦２１が操作された場合に、旧乗場釦２１を操作した利用者に対して、乗場呼びが行われたことを報知することができる。
【００２６】
また、新乗場釦２２は、照明部２２２を有し、新エレベータ制御盤３２は、新乗場釦２２が操作されることにより、操作された新乗場釦２２を点灯させるようになっており、エレベータ乗場釦取替用装置６は、操作部６１が操作した新乗場釦２２の点灯を検出する光検出部６３をさらに備え、点灯制御部６４は、光検出部６３の検出結果に基づいて、旧乗場釦２１を点灯させるので、旧乗場釦２１を操作した後に、旧乗場釦２１が点灯することを確認することにより、新乗場釦２２を目視することなく、新乗場釦２２が点灯することを確認することができる。
【００２７】
また、この発明の実施の形態１に係るエレベータ乗場釦取替方法によれば、旧エレベータ制御盤３１を新エレベータ制御盤３２に取り替えるエレベータ制御盤取替工程と、新乗場釦２２が操作されたことを示す乗場呼び信号を新エレベータ制御盤３２に入力させるエレベータ乗場釦取替用装置６に対して乗場１に設けられた旧乗場釦２１を接続し、旧乗場釦２１が操作された場合に、操作された旧乗場釦２１に対応する新乗場釦２２が操作されたことを示す乗場呼び信号をエレベータ乗場釦取替用装置６により新エレベータ制御盤３２に入力させる旧乗場釦仮接続工程と、エレベータ制御盤取替工程および旧乗場釦仮接続工程の後、乗場１に設けられた旧乗場釦２１をこの旧乗場釦２１に対応する新乗場釦２２に取り替えて乗場１に設置する乗場釦取替工程とを備えているので、乗場１に設けられた旧乗場釦２１が操作されると、操作された旧乗場釦２１に対応する新乗場釦２２が操作された場合と同様に新エレベータ制御盤３２がかごを昇降させる。これにより、旧乗場釦２１が新乗場釦２２にまだ取り替えられずに乗場１に設置されている場合であっても、エレベータ装置を動作させることができる。その結果、乗場釦２をリニューアルする場合にエレベータ装置が休止する時間を短くすることができる。
【００２８】
なお、上記実施の形態１では、新乗場釦２２を操作する操作部６１をエレベータ乗場釦取替用装置６が備え、旧乗場釦２１が操作されることにより、操作された旧乗場釦２１に対応する新乗場釦２２を操作部６１が操作して、新乗場釦２２が操作されたことを示す乗場呼び信号を新エレベータ制御盤３２に入力させる構成について説明したが、旧乗場釦２１が操作されることにより、操作された旧乗場釦２１に対応する新乗場釦２２が操作されたことを示す乗場呼び信号がエレベータ乗場釦取替用装置６から新エレベータ制御盤３２に入力される構成であってもよい。この場合、エレベータ乗場釦取替用装置６は、新エレベータ制御盤３２に接続され、新乗場釦２２を操作することなく、乗場呼び信号を新エレベータ制御盤３２に入力させる。
【００２９】
また、上記実施の形態１では、エレベータ乗場釦取替用装置６が機械室５に設置される構成について説明したが、機械室５に限らず、例えば、ピットなどに設置されてもよい。この場合、新乗場釦２２は、エレベータ乗場釦取替用装置６が設置される領域に仮置きされる。
【符号の説明】
【００３０】
１  乗場、２  乗場釦、３  エレベータ制御盤、４  ケーブル、５  機械室、６  エレベータ乗場釦取替用装置、２１  旧乗場釦、２２  新乗場釦、３１  旧エレベータ制御盤、３２  新エレベータ制御盤、４１  旧ケーブル、４２  新ケーブル、６１  操作部、６２  操作制御部、６３  光検出部、６４  点灯制御部、２１１  乗場釦本体、２１２  照明部、２２１  乗場釦本体、２２２  照明部。
【図１】
0005750034.tif 000002
【図２】
0005750034.tif 000003
【図３】
0005750034.tif 000004
【図４】
0005750034.tif 000005
【図５】
0005750034.tif 000006
【図６】
0005750034.tif 000007
【図７】
0005750034.tif 000008
【図８】
0005750034.tif 000009